(57)【要約】【課題】壁から間隔を隔てた位置で天井スラブに吊り支持される吊天井を備えた耐震天井取付構造において、ほこりなどが付着し難くすることができるとともに、吊天井の揺れに対する動きが妨げられず、破損、破壊による吊天井の落下を防止する。【解決手段】第１の吊天井２０Ａと、前記第１の吊天井２０Ａよりも低い位置に配置される第２の吊天井２０Ｂと、を少なくとも備え、前記第１の吊天井２０Ａ及び前記第２の吊天井２０Ｂは、天井スラブ１１に予め適宜間隔で取り付けられている吊りボルト１２に支持金具２４を介して固着される野縁受け材２２と、前記野縁受け材２２に直交する方向に固定される野縁材２３と、前記野縁材２３の下面に取り付けられる天井材２１と、を備え、前記第１の吊天井２０Ａと前記第２の吊天井２０Ｂとの間に塞ぎ手段５０を設けた。【選択図】図３
2014020186.tif 000002
【特許請求の範囲】
【請求項１】
第１の吊天井と、前記第１の吊天井よりも低い位置に配置される第２の吊天井と、を少なくとも備え、
前記第１の吊天井及び前記第２の吊天井は、天井スラブに予め適宜間隔で取り付けられている吊りボルトに支持金具を介して固着される野縁受け材と、前記野縁受け材に直交する方向に固定される野縁材と、前記野縁材の下面に取り付けられる天井材と、を備え、
前記第１の吊天井と前記第２の吊天井との間に塞ぎ手段を設けたことを特徴とする、耐震天井取付構造。
【請求項２】
前記第１の吊天井及び前記第２の吊天井のうち、一方の吊天井は、前記野縁受け材が固定金具で固定されることで側壁に接合されており、
他方の吊天井は、前記側壁に対して間隙を設けて配置されていることを特徴とする、請求項１記載の耐震天井取付構造。
【請求項３】
前記第１の吊天井と前記第２の吊天井とで下り天井を構成したことを特徴とする、請求項１記載の耐震天井取付構造。
【請求項４】
前記塞ぎ手段は、前記第１の吊天井の端縁付近に設けられた塞ぎ手段固定部に下向きに固定され、前記第２の吊天井の端縁に固定された見切材に対して摺動可能に接触していることを特徴とする、請求項１〜３のいずれかに記載の耐震天井取付構造。
【請求項５】
前記天井材はアルミニウムスパンドレルで構成されていることを特徴とする、請求項１〜４のいずれかに記載の耐震天井取付構造。
【発明の詳細な説明】
【技術分野】
【０００１】
この発明は、高さの異なる吊天井を備えた耐震天井取付構造に関する。
【背景技術】
【０００２】
近年、地震等によって天井下地材や天井材が振動したときに側壁へ衝突して落下することを防止するために、側壁から間隔を隔てた位置で天井に吊り支持される吊天井を備えた耐震天井取付構造が用いられることがある。
【０００３】
例えば、特許文献１には、側壁から間隔を隔てて吊下部材に吊下げ支持された天井下地材と、天井下地材に支持された天井板と、天井下地材に固定され、側壁に対向する天井下地材の端部及び天井板の端部を被覆する見切材と、側壁と見切材との隙間よりも上方において側壁から突出する目隠部材と、から構成された天井構造が開示されている。
【０００４】
また、特許文献２には、主天井下地を壁から離れて位置するように吊り下げた状態に設け、主天井下地の周辺部には天井周辺側下地を、主天井下地から独立して主天井下地の上位側または下位側に位置するように壁に固定して設け、主天井下地に主天井ボードを取り付けると共に、天井周辺側下地には天井周辺ボードを、主天井ボードの周辺部に対し上下方向に一定間隔をおいて一部重なり合うように取り付け、主天井ボードと天井周辺ボードとの隙間に断熱材及びカーテンを設けた構造が開示されている。
【先行技術文献】
【特許文献】
【０００５】
【特許文献１】特開２００８−９５３５３号公報
【特許文献２】特開２００５−１３３４４０号公報
【発明の概要】
【発明が解決しようとする課題】
【０００６】
しかし、上記した特許文献１記載の天井構造では、見切材と目隠部材との間に隙間が存在するため、この隙間が空気の通り道となり、ほこりなどが付着し易いという問題点があった。
【０００７】
この点、上記した特許文献２記載の構造のように主天井ボードと天井周辺ボードとの隙間に断熱材及びカーテンを設ければ隙間を塞ぐことができる。しかしながら、この特許文献２記載の構造においては、大地震が発生して横方向に揺れると、主天井下地及び主天井ボードの揺れに対する本来の動きを断熱材及びカーテンが妨げてしまい、主天井ボードが破損、破壊によって落下する恐れがあった。
【０００８】
そこで、本発明は、側壁から間隔を隔てた位置で天井に吊り支持される吊天井を備えた耐震天井取付構造において、ほこりなどが付着し難くすることができるとともに、吊天井の揺れに対する動きが妨げられず、破損、破壊による吊天井の落下を防止することを課題とする。
【課題を解決するための手段】
【０００９】
本発明は、上記した課題を解決するためになされたものであり、以下を特徴とする。
【００１０】
（請求項１）
請求項１に記載の発明は、以下の点を特徴とする。
【００１１】
すなわち、請求項１に記載の耐震天井取付構造は、第１の吊天井と、前記第１の吊天井よりも低い位置に配置される第２の吊天井と、を少なくとも備え、前記第１の吊天井及び前記第２の吊天井は、天井スラブに予め適宜間隔で取り付けられている吊りボルトに支持金具を介して固着される野縁受け材と、前記野縁受け材に直交する方向に固定される野縁材と、前記野縁材の下面に取り付けられる天井材と、を備え、前記第１の吊天井と前記第２の吊天井との間に塞ぎ手段を設けたことを特徴とする。
【００１２】
（請求項２）
請求項２に記載の発明は、上記した請求項１記載の発明の特徴点に加え、以下の点を特徴とする。
【００１３】
すなわち、前記第１の吊天井及び前記第２の吊天井のうち、一方の吊天井は、前記野縁受け材が固定金具で固定されることで側壁に接合されており、他方の吊天井は、前記側壁に対して間隙を設けて配置されていることを特徴とする。
【００１４】
（請求項３）
請求項３に記載の発明は、上記した請求項１記載の発明の特徴点に加え、以下の点を特徴とする。
【００１５】
すなわち、前記第１の吊天井と前記第２の吊天井とで下り天井を構成したことを特徴とする。
【００１６】
（請求項４）
請求項４に記載の発明は、上記した請求項１〜３のいずれかに記載の発明の特徴点に加え、以下の点を特徴とする。
【００１７】
すなわち、前記塞ぎ手段は、前記第１の吊天井の端縁付近に設けられた塞ぎ手段固定部に下向きに固定され、前記第２の吊天井の端縁に固定された見切材に対して摺動可能に接触していることを特徴とする。
【００１８】
（請求項５）
請求項５に記載の発明は、上記した請求項１〜４のいずれかに記載の発明の特徴点に加え、以下の点を特徴とする。
【００１９】
すなわち、前記天井材はアルミニウムスパンドレルで構成されていることを特徴とする。
【発明の効果】
【００２０】
本発明は上記の通りであり、第１の吊天井と第２の吊天井とが別体かつ高さが異なるように設けられているため、地震が発生して横方向に揺れた場合でも、第１の吊天井と第２の吊天井との間に間隙が設けられていることにより互いに衝突しづらく、破損、破壊による吊天井の落下を防止することができる。
【００２１】
また、第１の吊天井と第２の吊天井とに天井材が設けられているため、統一感が生まれ、意匠性が良い。
【００２２】
また、第１の吊天井と第２の吊天井との間に塞ぎ手段を設けているため、間隙を塞ぎ手段で塞ぐことができ、美観を損なう事がない。
【００２３】
また、塞ぎ手段を設けたことにより、第１の吊天井と第２の吊天井との間で気密性を保つことができ、空気の通りを少なくすることでほこりなどが付着し難くすることができる。
【００２４】
なお、第１の吊天井及び前記第２の吊天井のうちの一方の吊天井は、前記野縁受け材が固定金具で固定されることで側壁に接合してもよい。このように構成すれば、吊天井が側壁と一体化するため、強固に固定することができる。このとき、他方の吊天井は、前記側壁に対して間隙を設けて配置すればよい。このように構成すれば、他方の吊天井を側壁から間隙を設けて配置することで、他方の吊天井が側壁に衝突しづらく、破損、破壊による吊天井の落下を防止することができる。
【００２５】
また、前記塞ぎ手段は、前記第１の吊天井の端縁付近に設けられた塞ぎ手段固定部に下向きに固定され、前記第２の吊天井の端縁に固定された見切材に対して摺動可能に接触するようにしてもよい。このように構成すれば、塞ぎ手段は、第１の吊天井にのみ固定され、第２の吊天井に対しては固定されていないため、塞ぎ手段が第２の吊天井の動きを妨げることがない。
【００２６】
また、前記天井材をアルミニウムスパンドレルで構成してもよい。このように構成すれば、見切材と天井材と同材質で形成することができ、統一感のある意匠を提供できる。
【図面の簡単な説明】
【００２７】
【図１】第１の実施形態に係る耐震天井取付構造の側面図である。
【図２】第１の実施形態に係る耐震天井取付構造の平面図である。
【図３】図２におけるＡ−Ａ断面図である。
【図４】図２におけるＡ−Ａ断面図の一部拡大図である。
【図５】図２におけるＢ−Ｂ断面図である。
【図６】図２におけるＢ−Ｂ断面図の一部拡大図である。
【図７】塞ぎ材の斜視図である。
【図８】第２の実施形態に係る耐震天井取付構造の側面図である。
【図９】第３の実施形態に係る耐震天井取付構造の側面図である。
【図１０】第３の実施形態に係る耐震天井取付構造を斜め下から見た外観図である。
【図１１】図１０におけるＣ−Ｃ断面図である。
【図１２】図１０におけるＣ−Ｃ断面図の一部拡大図である。
【図１３】図１０におけるＤ−Ｄ断面図である。
【図１４】図１０におけるＤ−Ｄ断面図の一部拡大図である。
【発明を実施するための形態】
【００２８】
（第１の実施形態）
本発明の第１の実施形態について、図１〜７を参照しながら説明する。
【００２９】
本実施形態に係る耐震天井取付構造は、図１に示すように、第１の吊天井２０Ａと、この第１の吊天井２０Ａよりも低い位置に配置される第２の吊天井２０Ｂと、を備えている。
【００３０】
この第１の吊天井２０Ａ及び第２の吊天井２０Ｂは、天井スラブ１１に予め適宜間隔で取り付けられている吊りボルト１２に支持金具２４を介して固着される野縁受け材２２と、前記野縁受け材２２に直交する方向に固定される野縁材２３と、前記野縁材２３の下面に取り付けられる天井材２１と、をそれぞれ備えている。
【００３１】
支持金具２４は、図３及び図４に示すように、上端部を吊りボルト１２に固定されており、この支持金具２４の下部には、上方に向けて開口する断面略コ字状の保持部２４ａが形成されている。そして、この断面略コ字状の保持部２４ａの内側に野縁受け材２２を係合させることで、野縁受け材２２を支持するように形成されている。
【００３２】
野縁受け材２２は、鋼板やステンレス板をコ字状に加工して形成された長尺材である。この野縁受け材２２には、図４に示すように、長手方向に所定間隔で野縁材２３を保持するための野縁材保持具２５が取り付けられている。野縁受け材２２はこの野縁材保持具２５を介して野縁材２３を上方から吊支持する。
【００３３】
野縁材保持具２５は、野縁受け材２２に対して上から覆うように取り付けられる断面コ字状の部材であり、下部両側が図４に示すような切欠き形状となっている。野縁材保持具２５の下部両側には、この切欠き形状が設けられることで、上方に向けて突出する爪状の係合部２５ａが形成されている。
【００３４】
野縁材２３は、鋼板やステンレス板を加工して形成される長尺材であり、図４に示すように、上方に向けて開口するとともに、この開口部には開口縁が折り曲げ加工されることで係合フック２３ａが形成されている。この係合フック２３ａが上述した野縁材保持具２５の係合部２５ａに係合することで、野縁材２３は野縁受け材２２の下部に固定されている。
【００３５】
天井材２１は、吊天井２０Ａ、２０Ｂの下面を覆うように野縁材２３の下部に固定されるものであり、本実施形態においてはアルミニウム製の押出型材を使用している。
【００３６】
ここで、第１の吊天井２０Ａは、図３に示すように、野縁受け材２２がＬ字形の固定金具２６で固定されることで側壁１０に接合され、側壁１０と一体になる。このとき、天井材２１と側壁１０との間の間隙には廻り縁材２７が取り付けられ、天井材２１と側壁１０との間の間隙を埋めるとともに、天井材２１の端部が露出しないように被覆している。
【００３７】
また、第２の吊天井２０Ｂは、図３に示すように、側壁１０に対して間隙を設けて配置されている。この第２の吊天井２０Ｂの側縁には、図４及び図６に示すような吊天井見切材３０が固定される。この吊天井見切材３０は、第２の吊天井２０Ｂの側面を覆うように略垂直な面を形成する背板部３１と、この背板部３１の上端から水平に延設された第１延出部３２と、この第１延出部３２よりも下方に第１延出部３２と略平行に延設された第２延出部３３と、この第２延出部３３よりもさらに下方に第２延出部３３と略平行に延設された第３延出部３４と、を備えている。この吊天井見切材３０は、本実施形態においてはアルミニウム製の押出型材を使用している。
【００３８】
第１延出部３２は、図４及び図６に示すように、第２の吊天井２０Ｂの上面よりも上方において、第２の吊天井２０Ｂの上面の一部にオーバーラップするように配設され、第２の吊天井２０Ｂの端縁を覆うものである。この第１延出部３２の上面は水平な面を形成しており、後述する塞ぎ材５０が摺動可能となっている。
【００３９】
第２延出部３３は、図４及び図６に示すように、野縁材２３と天井材２１との間に差し込まれた状態で野縁材２３の下面にネジ３９で固定されるものである。このように第２延出部３３が野縁材２３に固定されることで、吊天井見切材３０が第２の吊天井２０Ｂに固定されている。
【００４０】
第３延出部３４は、第１延出部３２及び第２延出部３３よりも出量が小さく形成されており、端部が上向きのＬ字状に屈折した形状となっている。この第３延出部３４は、図４及び図６に示すように、天井材２１の下面よりも下方において、天井材２１の下面の一部にオーバーラップするように配設され、天井材２１の端縁を覆っている。これにより、天井材２１の端部は、第２延出部３３と第３延出部３４との間に配置されて外部から視認できないようになっている。なお、図４及び図６に示すように、背板部３１の内面には、第１延出部３２の下面と第２延出部３３の上面から突出した対の突片３５と背板部３１の内面へ挿入溝を設け、この挿入溝に、長手方向へ延びる吊天井見切材３０同士を連結する為のジョイント材３８を挿入する。
【００４１】
第１の吊天井２０Ａは、上記した吊天井見切材３０よりも上方に配置されており、吊天井見切材３０の第１延出部３２の直上部には、塞ぎ材ホルダー４０が設けられている。この塞ぎ材ホルダー４０は、ネジ４４によって第１の吊天井２０Ａの下面に固定されている。
【００４２】
塞ぎ材ホルダー４０は、断面略Ｌ字形の長尺部材であり、第１の吊天井２０Ａの下面に当接する水平部４１と、この水平部４１の端部から下方へと延設された下垂部４２と、を備えている。下垂部４２の下端部には下方に向けて開口する保持溝４３が形成されている。
【００４３】
ところで、本実施形態に係る耐震天井取付構造においては、高さの違う２種類の吊天井が設けられているため、地震が発生して横方向に揺れた場合でも、第１の吊天井２０Ａと第２の吊天井２０Ｂとの間に間隙が存在し、また、第１の吊天井２０Ａと吊天井見切材３０との間にも間隙が存在するため、第１の吊天井２０Ａが第２の吊天井２０Ｂや吊天井見切材３０に衝突しにくく、吊天井２０Ａ、２０Ｂが落下する問題が発生しにくい。
【００４４】
しかも、本実施形態においては、図３及び図５に示すように、側壁１０と吊天井見切材３０との間の間隙Ｓ１，Ｓ３は、吊天井見切材３０と第２の吊天井２０Ｂを支持する支持金具２４との間の間隙Ｓ２，Ｓ４よりも広くなっている。これにより、大地震が発生して第２の吊天井２０Ｂが横方向に揺れても、側壁１０に吊天井見切材３０が衝突しづらく、破損、破壊による吊天井２０Ａ、２０Ｂの落下を防止することができる。なお、間隙Ｓ１，Ｓ３の寸法は、間隙Ｓ２，Ｓ４よりも広い態様に限らず、間隙Ｓ２，Ｓ４と同寸法としてもよい。
【００４５】
そして、本実施形態においては、第１の吊天井２０Ａと第２の吊天井２０Ｂとの間には塞ぎ手段としての塞ぎ材５０が設けられている。この塞ぎ材５０を設けることで、第１の吊天井２０Ａと吊天井見切材３０との間で気密性を保って空気の通りを少なくすることでほこりなどを付着し難くしている。
【００４６】
塞ぎ材５０は、図７に示すように、塩化ビニル等で形成された可撓性のシート部５２と、このシート部５２の一端縁に設けられた嵌入部５１と、を備えており、この嵌入部５１を塞ぎ材ホルダー４０の保持溝４３に挿入して係合させることで塞ぎ材ホルダー４０の先端付近（第１の吊天井２０Ａの端縁付近）に下向きに取り付けられる。なお、保持溝４３と嵌入部５１との接触面には、図４及び図６に示すように、抜け止め方向に互いに噛合する逆止爪形状が形成されており、塞ぎ材ホルダー４０に取り付けた塞ぎ材５０が容易に脱落しないように形成されている。
【００４７】
ここで、図３及び図５に示すように、塞ぎ材ホルダー４０の先端は吊天井見切材３０の第１延出部３２の上面に位置しており、また、塞ぎ材５０のシート部５２の長さは塞ぎ材ホルダー４０の下垂部４２の下端と吊天井見切材３０の第１延出部３２の上面との間の距離よりも長く設定されている。このため、塞ぎ材５０を塞ぎ材ホルダー４０の先端付近に下向きに固定すると、塞ぎ材５０のシート部５２はＬ字状に折り曲げられて吊天井見切材３０の第１延出部３２の上面に載った状態となり、塞ぎ材ホルダー４０と吊天井見切材３０との間が塞ぎ材５０のシート部５２でほぼ完全に塞がれる。このとき、塞ぎ材５０のシート部５２は吊天井見切材３０に対して固定されておらず、吊天井見切材３０の第１延出部３２の上面で吊天井見切材３０に摺動可能に接触しているだけのため、もしこの状態で地震などの揺れが発生すると、塞ぎ材５０のシート部５２は吊天井見切材３０の第１延出部３２の上面で滑りながら移動することとなる。しかも、シート部５２は接触面の形状に合わせて形状を変化させることができるので、揺れの方向にかかわらず、第１の吊天井２０Ａと吊天井見切材３０との間を塞いだ状態を維持することができる。
【００４８】
以上説明したように、本実施形態によれば、第１の吊天井２０Ａと第２の吊天井２０Ｂとが別体かつ高さが異なるように設けられているため、地震が発生して横方向に揺れた場合でも、第１の吊天井２０Ａと第２の吊天井２０Ｂとの間に間隙が設けられていることにより互いに衝突しづらく、破損、破壊による吊天井２０Ａ、２０Ｂの落下を防止することができる。
【００４９】
また、第１の吊天井２０Ａと第２の吊天井２０Ｂとに天井材２１が設けられているため、統一感が生まれ、意匠性が良い。
【００５０】
また、第１の吊天井２０Ａと第２の吊天井２０Ｂとの間に塞ぎ材５０を設けているため、間隙を塞ぎ材５０で塞ぐことができ、美観を損なう事がない。
【００５１】
また、塞ぎ材５０を設けたことにより、第１の吊天井２０Ａと第２の吊天井２０Ｂとの間で気密性を保つことができ、空気の通りを少なくすることでほこりなどが付着し難くすることができる。
【００５２】
また、第１の吊天井２０Ａは、野縁受け材２２が固定金具２６で固定されることで側壁１０に接合されており、第１の吊天井２０Ａが側壁１０と一体化するため、強固に固定することができる。
【００５３】
また、第２の吊天井２０Ｂは、前記側壁１０に対して間隙を設けて配置されているため、第２の吊天井２０Ｂが側壁１０に衝突しづらく、破損、破壊による吊天井２０Ａ、２０Ｂの落下を防止することができる。
【００５４】
また、塞ぎ材５０は、前記第１の吊天井２０Ａの端縁付近に設けられた塞ぎ材ホルダー４０に下向きに固定され、前記第２の吊天井２０Ｂの端縁に固定された吊天井見切材３０に対して摺動可能に接触している。このため、塞ぎ材５０は、第１の吊天井２０Ａにのみ固定され、第２の吊天井２０Ｂに対しては固定されていないため、塞ぎ材５０が第２の吊天井２０Ｂの動きを妨げることがない。
【００５５】
また、天井材２１をアルミニウムスパンドレルで構成しているため、吊天井見切材３０と天井材２１と同材質で形成することができ、統一感のある意匠を提供できる。
【００５６】
以上のように、本実施形態１は、機能性と意匠性を兼ね備えている。
【００５７】
（第２の実施形態）
本発明の第２の実施形態について、図８を参照しながら説明する。本実施形態の特徴点は、側壁１０に固定する吊天井の高さを、側壁１０に固定しない吊天井の高さよりも低く設定した点にある。
【００５８】
すなわち、上記した第１の実施形態においては高い方の吊天井（第１の吊天井２０Ａ）を固定金具で固定して側壁１０に接合したが、これに限らず、図８に示すように、低い方の吊天井（第２の吊天井２０Ｂ）を固定金具で固定して側壁１０に接合してもよい。この場合には、第１の吊天井２０Ａを側壁１０に対して間隙を設けて配置する。
【００５９】
このような構造を採用した場合でも、第１の実施形態と同様の効果を得ることができる。
【００６０】
（第３の実施形態）
本発明の第３の実施形態について、図９〜１４を参照しながら説明する。本実施形態の特徴点は、第１の吊天井２０Ａと第２の吊天井２０Ｂとで下り天井を構成した点にある。
【００６１】
なお、本実施形態の基本的構成は第１の実施形態と相違しないため、本実施形態を説明するに当たっては重複する記載を避けて相違箇所のみについて説明する。
【００６２】
本実施形態に係る第２の吊天井２０Ｂは、図９に示すように、側壁１０から離隔した他方の端部において略垂直な立ち上がりを備えており、この立ち上がりによって下り壁が形成されている。具体的には、図１１及び図１３に示すように、第２の吊天井２０Ｂの他方の端部において、出隅用廻り縁材２８を介して天井材２１が略垂直に立ち上がり、垂直な壁面（下り壁）が形成されている。
【００６３】
なお、この出隅用廻り縁材２８で被覆することにより、天井材２１の端縁が露出しないようになっている。
【００６４】
また、この下り壁の上端部には吊天井見切材３０が固定されている。この吊天井見切材３０は図１２及び図１４に示すように、第１及び第２の実施形態において使用した吊天井見切材３０を９０度回転させて使用したものであり、背板部３１が上面を形成するように第１の吊天井２０Ａに取り付けられている。
【００６５】
本実施形態においても、第１の吊天井２０Ａの端縁付近には塞ぎ材ホルダー４０が設けられており、この塞ぎ材ホルダー４０に塞ぎ材５０が取り付けられることで、第１の吊天井２０Ａと第２の吊天井２０Ｂとの間には塞ぎ材５０が設けられている。そして、第１の実施形態と同様に、塞ぎ材５０のシート部５２はＬ字状に折り曲げられて吊天井見切材３０の第１延出部３２の上面に載った状態となり、吊天井見切材３０の上面で摺動可能に接触している。
【００６６】
上記の構成によれば、第１の吊天井２０Ａと第２の吊天井２０Ｂとで下り天井を構成することができ、このような下り天井構造においても、第１の実施形態と同様の効果を得ることができる。
【００６７】
なお、吊天井見切材３０は、向きを変えるだけで第１の実施形態の構造にも第２の実施形態の構造にも第３の実施形態にも使用可能であるので、それぞれの実施形態に応じたものを用意する必要がない。すなわち、部材点数を減らすことができ、製造コストを低減させることができる。
【符号の説明】
【００６８】
１０  側壁
１１  天井スラブ
１２  吊りボルト
２０Ａ  第１の吊天井
２０Ｂ  第２の吊天井
２１  天井材
２２  野縁受け材
２３  野縁材
２３ａ  係合フック
２４  支持金具
２４ａ  保持部
２５  野縁材保持具
２５ａ  係合部
２６  固定金具
２７  廻り縁材
２８  出隅用廻り縁材
３０  吊天井見切材
３１  背板部
３２  第１延出部
３３  第２延出部
３４  第３延出部
３５  突片
３８  ジョイント材
３９  ネジ
４０  塞ぎ材ホルダー
４１  水平部
４２  下垂部
４３  保持溝（塞ぎ手段固定部）
４４  ネジ
５０  塞ぎ材（塞ぎ手段）
５１  嵌入部
５２  シート部
６０  側壁見切材
【図１】
2014020186.tif 000003
【図２】
2014020186.tif 000004
【図３】
2014020186.tif 000005
【図４】
2014020186.tif 000006
【図５】
2014020186.tif 000007
【図６】
2014020186.tif 000008
【図７】
2014020186.tif 000009
【図８】
2014020186.tif 000010
【図９】
2014020186.tif 000011
【図１０】
2014020186.tif 000012
【図１１】
2014020186.tif 000013
【図１２】
2014020186.tif 000014
【図１３】
2014020186.tif 000015
【図１４】
2014020186.tif 000016